(57)【要約】【課題】帯電ロール２０に付着した微細な付着物をも良好に清掃する。【解決手段】感光体クリーナ７０の制御部７３は、そのメモリに記録させた感光体ドラム１０の回転数が所定値に至ってから所定時間長の間、クリーニングブレード７１を感光体ドラム１０の周面に押し当てる圧力を第１の圧力から、現像剤Ｄに含まれるトナーＴまでもがクリーニングブレード７１と感光体ドラム１０の間をすり抜け得る程度の第２の圧力へと切り替える。これにより、クリーニングブレード７１をすり抜けたトナーＴが帯電ロールクリーナ８０に到達し、帯電ロールクリーナ８０を構成する磁性体８３に付着する。このようにトナーを付着させた帯電ロールクリーナ８０を接触させた状態で帯電ロール２０を回転させると、その清掃効率を飛躍的に高めることができる。【選択図】図１
2008040150.tif 000002
【特許請求の範囲】
【請求項１】
周回する感光体と、
前記感光体の周面を帯電させる帯電ロールと、
前記帯電ロールによる帯電を経た感光体の周面に向けて露光することによってその周面に潜像を形成する露光手段と、
少なくともトナーと外添剤とを含む現像剤を前記潜像の形成された感光体の周面に供給することによってその潜像を現像する現像手段と、
前記現像により得た像を記録材に転写する転写手段と、
指定された圧力で前記感光体にクリーニングブレードを押し当てることによって、前記転写を経た後に前記感光体の周面に残存する現像剤を塞止する塞止手段と、
前記塞止手段に塞止されず当該塞止手段から見た前記感光体の周回方向の下流側に流出して前記帯電ロールまで到達した現像剤を掻き取る掻取手段と、
前記塞止手段による感光体へのクリーニングブレードの押し当ての圧力を切り替えるように制御する制御手段と
を備えた画像形成装置。
【請求項２】
請求項１に記載の画像形成装置において、
前記制御手段は、
前記外添剤の粒子を流出させる程度の第１の圧力から当該外添剤の粒子よりも大きい前記トナーの粒子をも流出さえ得る程度の第２の圧力へと前記クリーニングブレードの押し当ての圧力を切り替えるように制御する
画像形成装置。
【請求項３】
請求項２に記載の画像形成装置において、
前記掻取手段は、
前記塞止手段が前記クリーニングブレードを前記感光体に前記第２の圧力で押し当てている間に当該塞止手段から見た前記感光体の周回方向の下流側に流出するトナーを保持し、その保持したトナーを介して前記帯電ロールの周面に接触することによって外添剤を掻き取る
画像形成装置。
【請求項４】
請求項３に記載の画像形成装置において、
前記掻取手段は、
前記トナーを磁気的に吸着させる磁性体の部材よりなる
画像形成装置。
【請求項５】
請求項１乃至４に記載の画像形成装置において、
前記掻取手段の使用履歴を記録する記録手段
を更に備え、
前記制御手段は、
前記記録手段が記録した使用履歴に応じて前記クリーニングブレードの押し当ての圧力を切り替えるように制御する
画像形成装置。
【請求項６】
請求項１乃至５に記載の画像形成装置において、
前記帯電ロールは、
前記制御手段が前記押し当ての圧力を切り替えたときに前記感光体の周面を帯電させる
画像形成装置。
【請求項７】
請求項５又は６に記載の画像形成装置において、
前記制御手段は、
前記記録された使用履歴を基に割り出した前記掻取手段の使用量が所定の閾値を超えるたびに、前記クリーニングブレードの押し当ての圧力を切り替えるように制御する
画像形成装置。
【請求項８】
請求項１乃至７に記載の画像形成装置において、
前記現像手段は、
前記感光体に供給する現像剤、又はその現像剤に含まれるトナーの量を可変可能である
画像形成装置。
【請求項９】
請求項１乃至８に記載の画像形成装置において、
前記感光体の周回の速度を測定する測定手段
を更に備え、
前記制御手段は、
前記測定手段が測定した速度に応じて前記クリーニングブレードの押し当ての圧力を切り替えるように制御する
画像形成装置。
【請求項１０】
請求項１乃至９に記載の画像形成装置において、
前記掻取手段は、
導電性ブラシである
画像形成装置。
【請求項１１】
請求項１乃至９に記載の画像形成装置において、
前記掻取手段は、
前記外添剤を凝集させた上で弾出する多孔質弾性層で軸心を被覆したクリーニングロールである
画像形成装置。
【発明の詳細な説明】
【技術分野】
【０００１】
本発明は、画像形成装置に関する。
【背景技術】
【０００２】
近年、電子写真方式の画像形成装置では、感光体の表面を帯電させる帯電器として接触帯電方式の帯電ロールが用いられる傾向にある。加えて、現像に用いられる現像剤は、その流動性の向上、帯電特性の安定化、及びクリーニング性向上などを目的として、現像剤の含有成分であるトナーの球面に複数の外添剤を添加させたものが多く用いられている。この類の画像形成装置は、感光体の表面に供給された現像剤を転写ロールが圧接することにより、その現像剤のトナーに添加された外添剤の一部が遊離して感光体の表面に残ることがある。すると、感光体の表面に残留した外添剤が帯電ロールの表面に付着し、帯電不良を発生させる原因となってしまう。そのため、帯電ロールの近傍には、その表面に付着した外添剤を除去する、専用のクリーニング部材を設けることが望ましい。例えば、特許文献１及び特許文献２に開示された画像形成装置は、帯電ロールの表面と接触するように、スポンジやブラシなどの弾性部材で形成されたクリーニング部材が設けられ、このクリーニング部材が帯電ロールの表面を圧接することにより、帯電ロールの表面に付着した付着物を除去している。
【特許文献１】特開２００５−１２８５８４号公報
【特許文献２】特開２００５−１３４７６０号公報
【発明の開示】
【発明が解決しようとする課題】
【０００３】
しかしながら、帯電ロールに付着する外添剤は、その粒子径が１μｍ以下の超微粒子であるため、クリーニング部材にかきとられないまま、その一部が帯電ロールの表面に残留しがちである。そして、残留した外添剤が帯電ロールの表面に増えると、上述した帯電不良を誘発するようになる。
本発明は、このような事情に鑑みてなされたものであり、帯電ロールに付着した微細な付着物を良好に清掃し得る画像形成装置を提供することを目的とする。
【課題を解決するための手段】
【０００４】
本発明の好適な態様である画像形成装置は、周回する感光体と、前記感光体の周面を帯電させる帯電ロールと、前記帯電ロールによる帯電を経た感光体の周面に向けて露光することによってその周面に潜像を形成する露光手段と、少なくともトナーと外添剤とを含む現像剤を前記潜像の形成された感光体の周面に供給することによってその潜像を現像する現像手段と、前記現像により得た像を記録材に転写する転写手段と、指定された圧力で前記感光体にクリーニングブレードを押し当てることによって、前記転写を経た後に前記感光体の周面に残存する現像剤を塞止する塞止手段と、前記塞止手段に塞止されず当該塞止手段から見た前記感光体の周回方向の下流側に流出して前記帯電ロールまで到達した現像剤を掻き取る掻取手段と、前記塞止手段による感光体へのクリーニングブレードの押し当ての圧力を切り替えるように制御する制御手段とを備える。
【０００５】
この態様において、前記制御手段は、前記外添剤の粒子を流出させる程度の第１の圧力から当該外添剤の粒子よりも大きい前記トナーの粒子をも流出さえ得る程度の第２の圧力へと前記クリーニングブレードの押し当ての圧力を切り替えるように制御してもよい。
上記態様において、前記掻取手段は、前記塞止手段が前記クリーニングブレードを前記感光体に前記第２の圧力で押し当てている間に当該塞止手段から見た前記感光体の周回方向の下流側に流出するトナーを保持し、その保持したトナーを介して前記帯電ロールの周面に接触することによって外添剤を掻き取ってもよい。
また、上記態様において、前記掻取手段は、前記トナーを磁気的に吸着させる磁性体の部材よりなるものであってもよい。
【０００６】
上記各態様において、前記掻取手段の使用履歴を記録する記録手段を更に備え、前記制御手段は、前記記録手段が記録した使用履歴に応じて前記クリーニングブレードの押し当ての圧力を切り替えるように制御してもよい。
また、前記帯電ロールは、前記制御手段が前記押し当ての圧力を切り替えたときに前記感光体の周面を帯電させてもよい。
これらの態様において、前記制御手段は、前記記録された使用履歴を基に割り出した前記掻取手段の使用量が所定の閾値を超えるたびに、前記クリーニングブレードの押し当ての圧力を切り替えるように制御してもよい。
【０００７】
上記各態様において、前記現像手段は、前記感光体に供給する現像剤、又はその現像剤に含まれるトナーの量を可変可能であってもよい。
また、前記感光体の周回の速度を測定する測定手段を更に備え、前記制御手段は、前記測定手段が測定した速度に応じて前記クリーニングブレードの押し当ての圧力を切り替えるように制御してもよい。
さらに、前記掻取手段は、導電性ブラシであってもよいし、前記外添剤を凝集させた上で弾出する多孔質弾性層で軸心を被覆したクリーニングロールであってもよい。
【発明の効果】
【０００８】
本発明によれば、帯電ロールに付着した微細な付着物を良好に清掃することができる。
【０００９】
＜実施形態＞
本願発明の実施形態について説明する。
図１は、本実施形態にかかる画像形成装置１のハードウェア概略構成を示す図である。この画像形成装置１に搭載された感光体ドラム１０の周囲には、帯電ロール２０、露光器３０、現像器４０、転写ロール５０、回転検出部６０、感光体クリーナ７０、及び帯電ロールクリーナ８０等が配設される。
【００１０】
感光体ドラム１０は、ロール形状のドラム基体の表面に感光層が形成された感光体であり、図示せぬ駆動部により、その中心軸線を中心として図に示す反時計方向へ所定の速度で回転される。
帯電ロール２０は、その周面が感光体ドラム１０の周面に接触した帯電部材であり、感光体ドラム１０の回転駆動に従動して回転するようになっている。そして、図示せぬ電源から電圧が加えられることにより、感光体ドラム１０の周面を所定の電位に帯電させる。
露光器３０は、帯電された感光体ドラム１０の周面に向けてレーザーを照射（露光）して、感光体ドラム１０の周面に静電潜像を形成する。
【００１１】
現像器４０は、感光体ドラム１０周面に形成された静電潜像がその回転に伴って自身に対向する位置に到達すると、その静電潜像に現像剤Ｄを供給することによって、感光体ドラム１０の周面にトナー像を形成（現像）する。
図２（ａ）はこの現像剤Ｄを示す図である。同図に示すように、現像剤Ｄは、トナーＴとキャリアＣとを主たる成分とする。トナーＴは、その粒子径が約１０μｍ程度の球体状の粒子であり、着色機能を有する。キャリアＣは、トナーＴよりも大きい磁性体であり、トナーＴと接触して、トナーＴに所定の電荷を与える。図２（ｂ）は、トナーＴを示す図である。同図に示すように、トナーＴの球面には複数の外添剤Ｓが添加されている。この外添剤Ｓは、その粒子径が１μｍ以下超微粒子であり、トナーＴの流動性の向上、帯電特性の安定化、及びクリーニング性の向上などを目的として添加されるものである。この外添剤Ｓには、シリカやチタンなどが用いられる。
【００１２】
図１において、転写ロール５０は、図示せぬ電源により電圧が加えられ、感光体ドラム１０の周面に形成されたトナー像が自身の周面に接触する位置に到達すると、静電力によりそのトナー像を用紙に転写する。トナー像が転写された用紙は図示せぬ定着器へ搬送され、トナー像の定着を受けて機外へ排出される。
回転検出部６０は、光センサであり、感光体ドラム１０の回転に伴ってその周面に設けられたセンサマークが自らのセンシング位置を通過するたびに、感光体ドラム１０が一回りしたことを示す検出信号を出力する。
【００１３】
感光体クリーナ７０は、クリーニングブレード７１、ブレード駆動アクチュエータ７２、及び制御部７３を備える。クリーニングブレード７１は、その一端を感光体ドラム１０の周面に押し当てた状態でブレード駆動アクチュエータ７２に他端を支持される。そして、制御部７３は、回転検出部６０より出力される検出信号を頼りにブレード駆動アクチュエータ７２の挙動を制御することにより、感光体ドラム１０のクリーニングブレード７１への押し当ての圧力を切り替える。
【００１４】
更に詳細に説明すると、クリーニングブレード７１は、感光体ドラム１０の軸方向と概ね同じ奥行き幅を持つ板状体を成しており、転写ロール５０から見て周方向下流の所定位置へ自らの一端を押し当てることにより、用紙に転写し切れず感光体ドラム１０の周面に残留した現像剤Ｄを塞き止め、清掃する。
【００１５】
ブレード駆動アクチュエータ７２は、第１支持棒７２ａと第２支持棒７２ｂとをヒンジ機構を介して連結させてなる部材であり、第１支持棒７２ａの一端はヒンジ機構の駆動源となるステッピングモータ７２ｃと接続され、第２支持棒７２ｂの一端はクリーニングブレード７１の他端と接続される。そして、ステッピングモータ７２ｃの回転力を受けたヒンジ機構による第２支持棒７２ｂの感光体ドラム１０の側への揺動に応じ、その第２支持棒７２ｂに支持されたクリーニングブレード７１の感光体ドラム１０への押し当ての圧力が強められることになる。
【００１６】
制御部７３は、ブレード駆動アクチュエータ７２のステッピングモータ７２ｃの回転力を決定付けるパルスを供給して同アクチュエータ７２を駆動させることにより、クリーニングブレード７１の一端を感光体ドラム１０の周面に押し当てる圧力を制御する。そして、この制御部７３は、回転検出部６０から出力されてくる検出信号を基に自らのメモリに記録させた感光体ドラム１０の回転数をカウントアップし、回転数が所定値に至ってから所定時間長の間、クリーニングブレード７１を感光体ドラム１０の周面に押し当てる圧力を、通常サービス提供モード時用の第１の圧力から、その第１の圧力よりも弱い、ロールクリーナリフレッシュモード時用の第２の圧力へと切り替える。後に詳述するように、この第２の圧力への圧力の切り換えが定期的に行われることにより、帯電ロール２０の帯電特性が良好に保たれることになる。
【００１７】
帯電ロールクリーナ８０は、帯電ロール２０の周面に付着した付着物を掻き取って清掃するクリーニング部材である。図３は、この帯電ロールクリーナ８０の構成を示す図である。同図に示すように、帯電ロールクリーナ８０は、その一面と感光体ドラム１０の周面とが対向して、近接するように設けられており、感光体ドラム１０の周面と対向する面には、マグネット８１が設けられている。このマグネット８１には、マグネット８１の磁力線に引き付けられる磁性を持った複数の磁性体８３が保持部材８２を挟んで付着されている。この磁性体８３は、トナーＴを磁気的に吸着させる磁性を持ち、マグネット８１から感光体ドラム１０の周面方向に向かって複数個の磁性体８３が連なって付着されている。
【００１８】
このような帯電ロールクリーナ８０を帯電ロール２０の近傍を設けてその周面を清掃せねばならない理由について説明しておく。図２に示したように、現像器４０から感光体ドラム１０の静電潜像に向けて供給される現像剤ＤにはキャリアＣとトナーＴとが含有され、トナーＴの球面には、シリカやチタンなどといった外添剤Ｓが添加されている。現像剤Ｄを静電潜像に向けて供給して得たトナー像が転写ロール５０による押圧を経て用紙に転写されると、そのトナーＴの球面に添付されていた外添剤Ｓの一部が遊離してしまい、その遊離した外添剤Ｓが用紙に転写し切れずに感光体ドラム１０の周面に残ってしまうことがある。そして、この遊離した外添剤Ｓは、同じく感光体ドラム１０の周面に残った現像剤Ｄの他の成分（キャリアＣやトナーＴ）と共に感光体クリーナ７０のクリーニングブレード７１まで到達する。
【００１９】
上述したように、通常サービス提供モード時には、制御部７３は、第１の圧力でクリーニングブレード７１を感光体ドラム１０の周面に押し当てるようになっている。よって、この第１の圧力を十分な圧力としておけば、感光体ドラム１０の周面に残った現像剤Ｄの主成分であるトナーＴのほぼ全てを感光体ドラム１０の周面上から取り除くことが可能である。しかしながら、現像剤Ｄに含有される外添剤Ｓはその粒径がトナーＴに比べて非常に小さいため、いくら押し当ての圧力を強くしたとしても、クリーニングブレード７１と感光体ドラム１０の間をすり抜けてその周方向下流側へ流出し、感光体ドラム１０の周面に接触している帯電ロール２０の周面に付着して帯電不良を招いてしまう。このような不具合の発生を未然に防ぐべく、帯電ロールクリーナ８０を帯電ロール２０の近傍に設けることにより、その周面に付着した外添剤Ｓを清掃するのである。図３に示したように、帯電ロールクリーナ８０のマグネット８１には、複数の磁性体８３が付着されており、この磁性体８３を帯電ロール２０の周面と接触させた状態で帯電ロール２０を回転させると、磁性体８３の摩擦力によりその周面の外添剤Ｓが掻き取られる。
【００２０】
さて、上述したように、本実施形態にかかる画像形成装置１の制御部７３は、回転検出部６０による支援の基にカウントした感光体ドラム１０の回転数が所定値に至ってから所定時間長の間、クリーニングブレード７１を感光体ドラム１０の周面に押し当てる圧力を第１の圧力からその第１の圧力よりも弱い第２の圧力へと切り替えるようになっている。そして、第２の圧力を、現像剤Ｄに含まれるトナーＴまでもがクリーニングブレード７１と感光体ドラム１０の間をすり抜け得る程度の圧力とすることで、帯電ロール２０の清掃効果を飛躍的に高めることが可能となる。
【００２１】
この原理について説明する。クリーニングブレード７１の圧力が第１の圧力から第２の圧力に弱められると、外添剤Ｓに加え、その外添剤Ｓよりも粒子径の大きなトナーＴまでもがクリーニングブレード７１と感光体ドラム１０の間をすり抜けてその周方向下流側へ流出し、帯電ロール２０の周面に到達することになる。そして、帯電ロール２０に到達したトナーＴはその周面に付着して帯電ロールクリーナ８０まで到達し、同クリーナの磁性体８３の磁性力の作用を受けて付着する。図４は、トナーＴを付着させた状態の帯電ロールクリーナ８０の構成を示す図である。図を参照すると、磁性体８３の隙間を埋め合わせるようにトナーＴが付着していることが分かる。そして、発明者らの実験によれば、このようにトナーＴを付着させた帯電ロールクリーナ８０を接触させた状態で帯電ロール２０を回転させると、トナーＴを付着させない状態よりもその清掃効率が上がることが確認されている。また、帯電ロールクリーナ８０に付着したトナーＴは、その掻取作用により少しずつ失われていくため、第１の圧力から第２の圧力への切り換えを感光体ドラム１０の使用履歴（回転数）に応じて定期的に行っていくことにより、そのような清掃効果を保っていくことが可能となる。
【００２２】
次に、トナーＴの最適な流出量とクリーニングブレード７１の圧力との関係について本願発明者らが取り纏めた実験結果を以下に紹介する。この実験は、感光体ドラム１０の周面に５０ｍｇ／ｃｍ２の現像剤Ｄを供給した際、クリーニングブレード７１が感光体ドラム１０周面を押し当てる圧力毎に、クリーニングブレード７１を通過した（すり抜けた）現像剤Ｄの量を測定したものである。図５はこの実験結果を示す図であり、縦軸はクリーニングブレード７１を通過した現像剤Ｄの量（ｌｏｇｍｇ／ｃｍ２）を示し、横軸はクリーニングブレード７１が感光体ドラム１０の周面を押し当てる圧力（ｇｆ／ｃｍ）を示す。
【００２３】
まず、クリーニングブレード７１を感光体ドラム１０の周面に押し当てる圧力を０（ｇｆ／ｃｍ）にすると、同図に示すように、約１０（ｌｏｇｍｇ／ｃｍ２）の現像剤Ｄがクリーニングブレード７１を通過した。これは、ほぼ同量のトナーＴがクリーニングブレード７１をすり抜けて、感光体ドラム１０の周回方向の下流側へと供給されたことを示す。
次に、クリーニングブレード７１を感光体ドラム１０の周面に押し当てる圧力を３（ｇｆ／ｃｍ）にすると、約０．５（ｌｏｇｍｇ／ｃｍ２）の現像剤Ｄがクリーニングブレード７１を通過した。これは、ほぼ外添剤Ｓのみがクリーニングブレード７１をすり抜けたことを示す。
【００２４】
以上の実験結果によると、感光体ドラム１０の周面へのクリーニングブレード７１の押し当て圧力を０（ｇｆ／ｃｍ）にすると、トナーＴが感光体ドラム１０の周回方向の下流側へと供給され、その圧力を３（ｇｆ／ｃｍ）にすると、ほぼ外添剤Ｓのみがクリーニングブレード７１と感光体ドラム１０との間をすり抜けることがわかる。すなわち、感光体クリーナ７０は、通常サービス提供モード時には感光体ドラム１０へのクリーニングブレード７１の押し当て圧力が０（ｇｆ／ｃｍ）になるように制御し、ロールクリーナリフレッシュモード時には、その押し当て圧力が３（ｇｆ／ｃｍ）になるように制御するとよい。
【００２５】
＜他の実施形態＞
本発明は、種々の変形実施が可能である。
上記実施形態において、感光体クリーナ７０の制御部７３がクリーニングブレード７１を感光体ドラム１０の周面に第１の圧力で押し当てるように制御している時に、帯電ロール２０が感光体ドラム１０の周面を帯電させてもよい。
【００２６】
上記実施形態では、感光体クリーナ７０の制御部７３がクリーニングブレード７１の一端を感光体ドラム１０の周面に押し当てる圧力を制御することにより、帯電ロールクリーナ８０に供給するトナーＴの量を調整していた。これに対し、現像器４０が感光体ドラム１０に供給する現像剤Ｄ、又はその現像剤Ｄに含まれるトナーＴの量を変えることによりクリーニングブレード７１に適量の現像剤Ｄを到達させたのち、感光体クリーナ７０の制御部７３がクリーニングブレード７１の一端を感光体ドラム１０の周面に押し当てる圧力を制御して、帯電ロールクリーナ８０に供給するトナーＴの量を調整してもよい。
【００２７】
上記実施形態において、感光体クリーナ７０の制御部７３は、感光体ドラム１０の回転数が所定値に至ってから所定時間長の間、クリーニングブレード７１を感光体ドラム１０の周面に押し当てる圧力が切り替わるように制御していた。これに対し、感光体ドラム１０の周回の速度を測定する測定器を更に備え、制御部７３はこの測定器が測定した速度に応じてクリーニングブレード７１の押し当ての圧力が切り替わるように制御してもよい。
【００２８】
上記実施形態において、感光体クリーナ７０の制御部７３は、回転検出部６０から出力されてくる検出信号を基に自らのメモリに記録させた感光体ドラム１０の回転数をカウントアップし、回転数が所定値に至ってから所定時間長の間、クリーニングブレード７１を感光体ドラム１０の周面に押し当てる圧力を切り替えていたが、圧力を切り替えるトリガーは他のものであってもよい。例えば、帯電ロール２０の回転に伴ってその周面に設けられたセンサマークが自らのセンシング位置を通過するたびに、帯電ロール２０が一回りしたことを示す検出信号を出力する帯電ロール用回転検出部を設け、帯電ロール用回転検出部から出力されてくる検出信号を基に圧力を切り替えてもよい。要は、帯電ロールクリーナ８０の使用履歴に応じて前記クリーニングブレード７１の押し当ての圧力を切り替えればよい。
【００２９】
上記実施形態において、帯電ロールクリーナ８０は、トナーＴを磁気的に吸着させる磁性体８３をマグネット８１に付着させていたが、この磁性体８３は、トナーＴと逆極性に帯電する材料でコートされ、トナーＴを静電力で吸着させるものであってもよい。
【００３０】
上記実施形態において、帯電ロールクリーナ８０は、帯電ロール２０の周面と対向する面に磁性体８３が付着したマグネット８１が設けられた部材であったが、クリーニング部材の形態はこれに限らない。
例えば、帯電ロール２０の周面と対面する面に、その周面に接触するようにナイロン製、又はポリエステル製のブラシを備えたブラシクリーナであってもよい。この場合、供給されたトナーＴは、ブラシの穂先に保持される。また、帯電ロールクリーナ８０を導電性ブラシにより構成してもよい。
更に、外添剤Ｓを所定の大きさになるまで凝集させた上で帯電ロール２０や感光体ドラム１０の側へ弾き出す特性を持つ多孔性弾性層で軸心を被覆したクリーニングロールによって帯電ロールクリーナ８０を構成してもよい。
【００３１】
上記実施形態において、ロールクリーナリフレッシュモード時用の第２の圧力は、通常サービス提供モード時用の第１の圧力よりも弱い圧力であったが、この第２の圧力は第１の圧力の半分以下の圧力であってもよい。
【図面の簡単な説明】
【００３２】
【図１】画像形成装置１の概略構成である。
【図２】現像剤Ｄを示す図である。
【図３】帯電ロールクリーナ８０の構成を示す図である。
【図４】トナーＴを保持した帯電ロールクリーナ８０の構成を示す図である。
【図５】実験結果を示す図である。
【符号の説明】
【００３３】
１…画像形成装置、１０…感光体ドラム、２０…帯電ロール、３０…露光器、４０…現像器、５０…転写ロール、６０…回転検出部、７０…感光体クリーナ、７１…クリーニングブレード、７２…ブレード駆動アクチュエータ、７２ａ…第１支持棒、７２ｂ…第２支持棒、７２ｃ…ステッピングモータ、７３…制御部、８０…帯電ロールクリーナ、８１…マグネット、８２…保持部材、８３…磁性体。
【図１】
2008040150.tif 000003
【図２】
2008040150.tif 000004
【図３】
2008040150.tif 000005
【図４】
2008040150.tif 000006
【図５】
2008040150.tif 000007